(57)【要約】      （修正有）【課題】耳介に挟まれやすく、かつ、耳に入れた後の快適性を高めることができるイヤホンを提供する。【解決手段】ハウジング１と、ハウジングに固定されるスピーカーアセンブリ２と、スピーカーアセンブリに電気的に接続される電源部とを備えるイヤホンであって、一端がハウジングに固定され、屈曲状になっており、両端を貫通する第１貫通孔を有する導音管３と、導音管の他端に固定接続され、断面形状が楕円形であり、相対する第１端と第２端とを有し、第１端の端面が位置する平面と第２端の端面が位置する平面とが交わり、第１端と第２端とを貫通する段付孔を有し、導音管の一部が段付孔の大径段内に位置し、段付孔の小径段が第１貫通孔に連通するイヤキャップ４と、をさらに備える。【選択図】図２
0003227305.tif 000002
【実用新案登録請求の範囲】
【請求項１】
ハウジング（１）と、前記ハウジング（１）に固定されるスピーカーアセンブリ（２）と、前記スピーカーアセンブリ（２）に電気的に接続される電源部とを備えるイヤホンであって、
一端が前記ハウジング（１）に固定され、屈曲状になっており、両端を貫通する第１貫通孔（３１）を有する導音管（３）と、
前記導音管（３）の他端に固定接続され、断面形状が楕円形であり、相対する第１端（４１）と第２端（４２）とを有し、前記第１端（４１）の端面が位置する平面と前記第２端（４２）の端面が位置する平面とが交わり、前記第１端（４１）と前記第２端（４２）とを貫通する段付孔を有し、前記導音管（３）の一部が前記段付孔の大径段内に位置し、前記段付孔の小径段（４３）が前記第１貫通孔（３１）に連通するイヤキャップ（４）とをさらに備える、
ことを特徴とするイヤホン。
【請求項２】
前記導音管（３）の他端は前記小径段（４３）の壁面に固定接続され、前記小径段（４３）の断面形状は楕円形であり、前記小径段（４３）の前記大径段から離れる一端の縁は、前記第１端（４１）の外延に曲面で接続され、かつ前記第１端（４１）の外延の輪郭は円形である、
ことを特徴とする請求項１に記載のイヤホン。
【請求項３】
前記導音管（３）は、互いに接続する第１段（３２）と第２段（３３）とを備え、前記第１段（３２）の軸線と前記第２段（３３）の軸線とは角度を有し、前記イヤキャップ（４）は前記第１段（３２）に固定接続され、前記第１貫通孔（３１）における前記第１段（３２）に位置する部分の断面形状は楕円形であり、前記第１貫通孔（３１）における前記第２段（３３）に位置する部分の断面形状は円形である、
ことを特徴とする請求項１に記載のイヤホン。
【請求項４】
前記第１段（３２）の外側に外向けに突出する第１係合部（３２１）と第２係合部（３２２）とが設けられ、前記小径段（４３）の内壁は、前記第１係合部（３２１）と前記第２係合部（３２２）との間に係合可能な突起部を有する、
ことを特徴とする請求項３に記載のイヤホン。
【請求項５】
前記スピーカーアセンブリ（２）は、第１可動コイルユニット（２１）と第１可動鉄ユニット（２２）とを備え、
前記第１可動コイルユニット（２１）は前記ハウジング（１）内に位置し、前記ハウジング（１）に固定接続され、前記第１可動鉄ユニット（２２）は長尺状になっており、かつ前記第１可動鉄ユニット（２２）の一端は前記第１可動コイルユニット（２１）に接続され、前記第１可動鉄ユニット（２２）の一部は前記第１貫通孔（３１）内に位置する、
ことを特徴とする請求項１〜４のいずれか１項に記載のイヤホン。
【請求項６】
前記第１可動鉄ユニット（２２）は、直方体状の第１部（２２１）と、柱状の第２部（２２２）とを備え、前記第１部（２２１）の一端は、前記第１可動コイルユニット（２１）に固定接続され、前記第１部（２２１）の他端は、前記第２部（２２２）に固定接続されている、
ことを特徴とする請求項５に記載のイヤホン。
【請求項７】
前記スピーカーアセンブリ（２）は、積層配置される２つの第２可動鉄ユニット（２３）を備え、前記第２可動鉄ユニット（２３）の一端は、前記ハウジング（１）内に位置し、前記ハウジング（１）に接続され、前記第２可動鉄ユニット（２３）の他端は前記第１貫通孔（３１）内に位置する、
ことを特徴とする請求項１〜４のいずれか１項に記載のイヤホン。
【請求項８】
前記第１貫通孔（３１）における前記導音管（３）の一端に近い部分の断面形状は楕円形であり、２つの前記第２可動鉄ユニット（２３）の積層方向は、前記第１貫通孔（３１）における前記導音管（３）の一端に近い部分の断面形状の長軸である第１長軸と平行である、
ことを特徴とする請求項７に記載のイヤホン。
【請求項９】
前記スピーカーアセンブリ（２）は、第２可動コイルユニット（２４）と第３可動コイルユニット（２５）とを備え、前記第２可動コイルユニット（２４）の断面寸法は、前記第３可動コイルユニット（２５）の対応する断面寸法よりも大きく、前記第２可動コイルユニット（２４）は前記ハウジング（１）内に固定され、前記第３可動コイルユニット（２５）の一端は、前記第２可動コイルユニット（２４）に接続され、前記第３可動コイルユニット（２５）の他端は、前記第１貫通孔（３１）内に位置する、
ことを特徴とする請求項１又は２に記載のイヤホン。
【考案の詳細な説明】
【技術分野】
【０００１】
本考案は、オーディオ技術分野に関し、特にイヤホンに関する。
【背景技術】
【０００２】
イヤホンは、音質効果がよくかつ持ち歩きに便利との特徴があるため、広く電子製品のオーディオ出力に使用されている。
【０００３】
従来技術において、イヤホンは通常イヤパッドと、イヤパッドに接続される保護ケースと、保護ケース内に位置するスピーカーユニットとを備える。また、従来技術の場合、イヤパッドの外形輪郭は円形であるため、該イヤホンを装着するとき、イヤパッドは耳介に挟まれるのはやや難しく、即ち従来技術のイヤパッドは耳に入れにくく、かつ耳に入れた後の快適性は比較的に悪い。
【考案の概要】
【考案が解決しようとする課題】
【０００４】
本考案は、耳介に挟まれやすく、かつ、耳に入れた後の快適性を高めることができるイヤホンを提供することを目的とする。
【課題を解決するための手段】
【０００５】
そのため、本考案に採用された技術案は、
ハウジングと、前記ハウジングに固定されるスピーカーアセンブリと、前記スピーカーアセンブリに電気的に接続される電源部とを備えるイヤホンであって、
一端が前記ハウジングに固定され、屈曲状になっており、両端を貫通する第１貫通孔を有する導音管と、
前記導音管の他端に固定接続され、断面形状が楕円形であり、相対する第１端と第２端とを有し、前記第１端の端面が位置する平面と前記第２端の端面が位置する平面とが交わり、前記第１端と前記第２端とを貫通する段付孔を有し、前記導音管の一部が前記段付孔の大径段内に位置し、前記段付孔の小径段が前記第１貫通孔に連通するイヤキャップと、をさらに備える
イヤホンである。
【０００６】
好ましくは、前記導音管の他端は前記小径段の壁面に固定接続され、前記小径段の断面形状は楕円形であり、前記小径段の前記大径段から離れる一端の縁は、前記第１端の外延に曲面で接続され、かつ前記第１端の外延の輪郭は円形である。
【０００７】
好ましくは、前記導音管は、互いに接続する第１段と第２段とを備え、前記第１段の軸線と前記第２段の軸線とは角度を有し、前記イヤキャップは前記第１段に固定接続され、前記第１貫通孔における前記第１段に位置する部分の断面形状は楕円形であり、前記第１貫通孔における前記第２段に位置する部分の断面形状は円形である。
【０００８】
好ましくは、前記第１段の外側に外向けに突出する第１係合部と第２係合部が設けられ、前記小径段の内壁は、前記第１係合部と前記第２係合部との間に係合可能な突起部を有する。
【０００９】
好ましくは、前記スピーカーアセンブリは、第１可動コイルユニットと第１可動鉄ユニットとを備え、
前記第１可動コイルユニットは前記ハウジング内に位置し、前記ハウジングに固定接続され、前記第１可動鉄ユニットは長尺状になっており、かつ前記第１可動鉄ユニットの一端は前記第１可動コイルユニットに接続され、前記第１可動鉄ユニットの一部は前記第１貫通孔内に位置する。
【００１０】
好ましくは、前記第１可動鉄ユニットは、直方体状の第１部と、柱状の第２部とを備え、前記第１部の一端は、前記第１可動コイルユニットに固定接続され、前記第１部の他端は、前記第２部に固定接続されている。
【００１１】
好ましくは、前記スピーカーアセンブリは、積層配置される２つの第２可動鉄ユニットを備え、前記第２可動鉄ユニットの一端は、前記ハウジング内に位置し、前記ハウジングに接続され、前記第２可動鉄ユニットの他端は前記第１貫通孔内に位置する。
【００１２】
好ましくは、前記第１貫通孔における前記導音管の一端に近い部分の断面形状は楕円形であり、２つの前記第２可動鉄ユニットの積層方向は、前記第１貫通孔における前記導音管の一端に近い部分の断面形状の長軸である第１長軸と平行である。
【００１３】
好ましくは、前記スピーカーアセンブリは、第２可動コイルユニットと第３可動コイルユニットとを備え、前記第２可動コイルユニットの断面寸法は、前記第３可動コイルユニットに対応する断面寸法よりも大きく、前記第２可動コイルユニットは前記ハウジング内に固定され、前記第３可動コイルユニットの一端は、前記第２可動コイルユニットに接続され、前記第３可動コイルユニットの他端は、前記第１貫通孔内に位置する。
【考案の効果】
【００１４】
本考案は少なくとも以下の有益な効果を有する。
【００１５】
本考案に係るイヤホンでは、イヤキャップの外形輪郭は人の耳の輪郭と適合することができるため、イヤキャップが耳に入れやすく、ひいてはイヤホンが耳介に挟まれるのが容易で、かつイヤホンを耳に入れた後の快適性を高めることができ、かつ導音管は屈曲状になっていることにより、イヤキャップの構造と適合することができる。
【００１６】
本考案における第１可動鉄ユニットは、第１貫通孔のサイズと適合することができ、ひいては該第１可動鉄ユニットが比較的に第１貫通孔に位置しやすいようにしすることで、導音管の内部空間構造を活用することができ、また、イヤホンの内部構造をよりコンパクトにし、空間利用率を大幅に高め、ユーザーの体験を高めることができる。
【００１７】
本考案において、第１可動コイルユニットおよび第１可動鉄ユニットの設計で、イヤホンにハイ・レゾリューションと、ハイ・トランジェントステートと、優れた細部への表現力とを有するとともに、密度の良い中高周波数を有することができ、大きいダイナミックレンジでゆったりとした雰囲気感、低周波数弾力性とダイビング特性が得られるため、イヤホンは第１可動コイルユニットおよび第１可動鉄ユニットのメリットを結合して一体化することができる。
【００１８】
本考案において、２つの第２可動鉄ユニットの設計で、イヤホンの低周波数弾力性とダイビング特性を効果的に高めることができる。
【００１９】
本考案において、第２可動コイルユニットおよび第３可動コイルユニットの設計で、イヤホンに音楽の細部を効果的に表現させ、ユーザー体験の効果を高めることができる。
【図面の簡単な説明】
【００２０】
【図１】本考案の実施例１に係るイヤホンの構造模式図である。
【図２】本考案の実施例１に係るイヤホンの分解した構造の模式図である。
【図３】本考案の実施例１に係るイヤキャップの構造模式図である。
【図４】本考案の実施例１に係る導音管の構造模式図１である。
【図５】本考案の実施例１に係る導音管の構造模式図２である。
【図６】本考案の実施例１に係る導音管の構造模式図３である。
【図７】本考案の実施例１に係るイヤホンの一部の前面図である。
【図８】本考案の図７に示すＡ−Ａの断面図である。
【図９】本考案の実施例２に係るイヤホンの構造模式図である。
【図１０】本考案の実施例２に係るイヤホンの分解した構造の模式図である。
【図１１】本考案の実施例２に係るイヤホンの一部の前面図である。
【図１２】本考案の図１１に示すＢ−Ｂの断面図である。
【図１３】本考案の実施例３に係るイヤホンの構造模式図である。
【図１４】本考案の実施例３に係るイヤホンの分解した構造の模式図である。
【図１５】本考案の実施例３に係るイヤホンの一部の前面図である。
【図１６】本考案の図１５に示すＣ−Ｃの断面図である。
【考案を実施するための形態】
【００２１】
本考案が解決する技術的問題と、採用される技術案と、得られる技術効果とをより明確にするために、以下、図面を参照しながら具体的な実施形態によって、本考案の技術案をさらに説明する。ここで説明する具体的な実施例は本考案を解釈するためのものであり、本考案を限定するためのものではないことを理解すべきである。なお、説明の便宜上、図面には全部ではなく本考案に関連する一部だけが示されている。
【００２２】
本考案の説明において、「中心」、「上」、「下」、「左」、「右」、「鉛直」、「水平」、「内」、「外」等の用語で表された方向又は位置関係は、図面に示す方向又は位置関係に基づくものであり、本考案を便宜及び簡略に説明するためのものに過ぎず、該当装置又は部品が、必ず定められた方向を有したり、定められた方向に構成、操作されたり、することを明示又は暗示するものではないため、本考案を限定するものではないと理解すべきである。また、「第１」、「第２」等の用語は、区別して説明するためのものに過ぎず、相対重要性を明示又は暗示するものではないと理解すべきである。
【００２３】
さらに、本考案の説明において、明確な規定と限定がない限り、「装着」、「連結」、「接続」の用語は、広義的に理解すべきである。例えば、固定接続でもよいし、取外し可能な接続でもよい。そして、機械的な接続でもよいし、電気的な接続でもよい。さらに、直接連結でもよいし、中間媒体で間接的な連結でもよいし、２つの要素の内部の連通でもよい。当業者にとって、本考案における上記用語の具体的な意味を、具体的な状況に応じて理解することが可能である。
【００２４】
本実施例は耳に入れやすく、かつ快適性が比較的に高いイヤホンを提供する。
【実施例１】
【００２５】
図１〜図８に示すように、該イヤホンは、ハウジング１と、ハウジング１に固定されるスピーカーアセンブリ２と、スピーカーアセンブリ２に電気的に接続される電源部と、導音管３と、イヤキャップ４とを備える。
【００２６】
ただし、導音管３の一端（以下、第４端３ｂと称する）はハウジング１に固定され、図８に示すように、この導音管３は、屈曲状になっており、その両端を貫通する第１貫通孔３１を有する。イヤキャップ４は、導音管３の他端（以下、第３端３ａと称する）に固定接続され、断面形状が楕円形であり、具体的には、イヤキャップ４の外形輪郭は、両端が削られたラグビーボール状になっており、人の耳の外耳の輪郭と適合するため、イヤホンの装着が容易になる。また、イヤキャップ４は、相対する第１端４１と第２端４２とを有し、前記第１端４１の端面が位置する平面と、前記第２端４２の端面が位置する平面とが交わり、即ち、イヤキャップ４の第１端４１の端面は、その第２端４２の端面と平行ではなく、さらに即ち、図２に示すように、イヤキャップ４の外表面は互いに接続する２つの円弧面で形成され、該２つの円弧面は、イヤキャップ４の延伸方向である第１方向の長さが異なる（図２に示すように、イヤキャップ４の上下の長さが異なる）。
【００２７】
また、イヤキャップ４は、第１端４１と第２端４２とを貫通する段付孔を有し、該段付孔は互いに連通する大径段と小径段４３とを有する。上記の導音管３の一部は、前記段付孔の大径段内に位置し、上記の段付孔の小径段４３は、導音管３の第１貫通孔３１に連通することで、スピーカーアセンブリ２により発生された音を、導音管３の第１貫通孔３１および小径段４３を経由してユーザーの耳に伝えることができる。
【００２８】
本実施例に係るイヤホンでは、イヤキャップ４の外形輪郭は人の耳の輪郭と適合することができるため、イヤキャップ４が耳に入れやすく、ひいてはイヤホンが耳介に挟まれるのが容易で、かつイヤホンを耳に入れた後の快適性を高めることができ、かつ導音管３は屈曲状になっていることにより、イヤキャップ４の構造と適合することができる。
【００２９】
好ましくは、本実施例において、上記のイヤキャップ４の材料は、ゴム、シルカゲルなどの弾性材料で、イヤキャップ４と耳介との間の摩擦力を大きくすることができ、さらにイヤホンがユーザーの耳介から滑り出る確率が低減することができる。
【００３０】
さらに、図５、図６および図８を参照すると、小径段４３は、その延伸方向における断面形状は楕円形であり、導音管３の第３端３ａは、小径段４３の内壁面に固定接続され、また、小径段４３の大径段から離れる一端の縁は、イヤキャップ４の第１端４１の外延４ａに曲面で接続され、かつ該第１端４１の外延４ａの輪郭は円形である。即ち、小径段４３の大径段から離れる一端の縁は、イヤキャップ４の第１端４１の端面と同じ平面に位置しなく、即ち、段付孔の出口は第１端４１の端面に位置しない。
【００３１】
さらに、図４に示すように、導音管３は、互いに接続する第１段３２と第２段３３とを備えてもよい。該第１段３２の軸線と該第２段３３の軸線とは角度を有し、この場合、前記導音管３の第３端３ａは、第１段３２が第２段３３に接続されていない一端であり、導音管３の第４端３ｂは、第２段３３が第１段３２に接続されていない一端である。また、イヤキャップ４はその内の小径段４３の内壁を介して該第1段３２に固定接続されている。
【００３２】
好ましくは、図５に示すように、第１貫通孔３１における第１段３２に位置する部分の断面形状は楕円形又は他の形状であり、第１貫通孔３１における第２段３３に位置する部分の断面形状は円形又は他の形状であってもよい。
【００３３】
本実施例において、図４を参照すると、第１段３２の外側に外向けに突出する第１係合部３２１と第２係合部３２２とが設けられ、イヤキャップ４の小径段４３の内壁は、第１係合部３２１と第２係合部３２２との間に係合可能な突起部を有することで、イヤキャップ４と導音管３との固定接続を実現する。
【００３４】
本実施例において、図２を参照すると、スピーカーアセンブリ２は、第１可動コイルユニット２１と第１可動鉄ユニット２２とを備える。ただし、第１可動コイルユニット２１は、ハウジング１内に位置し、ハウジング１に固定接続され、第１可動鉄ユニット２２は長尺状になっており、かつ該第１可動鉄ユニット２２の一端は第１可動コイルユニット２１に接続され、該第１可動鉄ユニット２２の一部は導音管３の第１貫通孔内に位置してもよい（図８参照）。好ましくは、第１可動鉄ユニット２２の外形寸法は比較的に小さくすることができるため、第１貫通孔３１の寸法と適合することができ、ひいては該第１可動鉄ユニット２２が該第１貫通孔３１に位置しやすいようにしすることで、導音管３の内部空間構造を活用することができ、また、イヤホンの内部構造をよりコンパクトにし、空間利用率を大幅に高め、ユーザーの体験を高めることができる。
【００３５】
さらに、上記の第１可動コイルユニット２１および第１可動鉄ユニット２２の設計で、イヤホンはハイ・レゾリューションと、ハイ・トランジェントステートと、優れた細部への表現力とを有するとともに、密度の良い中高周波数を有することができ、大きいダイナミックレンジでゆったりとした雰囲気感、低周波数弾力性とダイビング特性が得られるため、本実施例に係るイヤホンは、第１可動コイルユニット２１および第１可動鉄ユニット２２のメリットを結合して一体化することができる。
【００３６】
さらに、第１可動鉄ユニット２２は、直方体状の第１部２２１と、円柱状の第２部２２２とを備える。該第１部２２１の一端は、第１可動コイルユニット２１に固定接続され、該第１部２２１の他端は、第２部２２２に固定接続されている。好ましくは、前記第１可動鉄ユニット２２の一部は、第２部２２２と、大部分の第１部２２１とを備えることで、本実施例に係るイヤホンの構造はよりコンパクトにすることができる。前記第１可動コイルユニット２１は円柱状であってもよく、かつ該第１可動コイルユニット２１の上表面（又は下表面）は、第１可動鉄ユニット２２に接触して接続されている。
【００３７】
好ましくは、図２と図８を参照すると、イヤホンは、導音管３の第３端３ａに固定され、空気中の粉塵が導音管３の第１貫通孔３１内に入り込むのを防止するための防塵カバー５をさらに備えてもよい。
【実施例２】
【００３８】
本実施例に係るイヤホンは、スピーカーアセンブリ２および導音管３の構造が異なる点で、上記の実施例１に係るイヤホンと異なる。
【００３９】
具体的には、図９〜図１２に示すように、スピーカーアセンブリ２は、積層配置される２つの第２可動鉄ユニット２３を備える。該２つの第２可動鉄ユニット２３の一端は、いずれもハウジング１内に位置し、ハウジング１に固定接続され、２つ第２可動鉄ユニット２３の他端は、いずれも導音管３の第１貫通孔３１内に位置する。該２つの第２可動鉄ユニット２３の設計で、イヤホンの低周波数弾力性とダイビング特性を効果的に高めることができる。
【００４０】
さらに、本実施例において、導音管３において、第１貫通孔３１における導音管３の一端（即ち実施例１における導音管３の第４端３ｂ）に近い部分の断面形状は楕円形であってもよく、かつ２つの前記第２可動鉄ユニット２３の積層方向は、第１貫通孔３１における導音管３一端に近い部分の断面形状（即ち楕円形）の長軸である第１長軸と平行であってもよい。そのため、該２つの第２可動鉄ユニット２３は導音管３の内部構造の空間を比較的に活用することができる。さらに、該第１貫通孔３１の断面形状が実施例１における第１貫通孔の断面形状と異なる以外、本実施例における導音管３の他の構造は、実施例１における導音管３の対応する構造と同じであるため、本実施例ではその説明を省略する。
【００４１】
好ましくは、該第２可動鉄ユニット２３の構造は、実施例１における第１可動鉄ユニット２２の構造を参考にすることができるため、ここで、本実施例ではその説明を省略する。
【００４２】
なお、本実施例における他の構造は実施例１における対応する他の構造と同じであるため、ここで、本実施例ではその説明を省略する。
【実施例３】
【００４３】
本実施例に係るイヤホンは、スピーカーアセンブリ２の構造が異なる点で、上記の実施例１に係るイヤホンと異なる。
【００４４】
具体的には、図１３〜図１６に示すように、スピーカーアセンブリ２は、第２可動コイルユニット２４と第３可動コイルユニット２５とを備える。該第２可動コイルユニット２４の断面寸法は、該第３可動コイルユニット２５の対応する断面寸法よりも大きく、該第２可動コイルユニット２４はハウジング１内に固定され、該第３可動コイルユニット２５の一端は、第２可動コイルユニット２４に接続され、該第３可動コイルユニット２５の他端は、導音管３の第１貫通孔内３１内に位置する。該第２可動コイルユニット２４および第３可動コイルユニット２５の設計で、イヤホンに音楽の細部を効果的に表現させ、ユーザー体験の効果を高めることができる。
【００４５】
好ましくは、第３可動コイルユニット２５の断面形状は第１貫通孔内３１の断面形状と同様で、かつ第３可動コイルユニット２５の断面寸法は、第１貫通孔内３１の断面寸法と同じであることで、第３可動コイルユニット２５が導音管３の内部構造の空間をよりよく利用できる。
【００４６】
なお、本実施例における他の構造は実施例１における対応する他の構造と同じであるため、ここで、本実施例ではその説明を省略する。
【００４７】
上記の実施形態は、本考案の基本原理と特性を説明しただけであり、本考案はそれに限定されず、本考案の精神と範囲から離脱しない前提で、本考案は様々な変更および変化を有してもよく、これらの変更および変化はすべて、主張された本考案の範囲内に含まれる。主張された本考案の範囲は添付の「実用新案登録請求の範囲」又はその同効なもので定める。
【符号の説明】
【００４８】
１  ハウジング
２  スピーカーアセンブリ
２１  第１可動コイルユニット
２２  第１可動鉄ユニット
２２１  第１部
２２２  第２部
２３  第２可動鉄ユニット
２４  第２可動コイルユニット
２５  第３可動コイルユニット
３  導音管
３１  第１貫通孔
３２  第１段
３２１  第１係合部
３２２  第２係合部
３３  第２段
３ａ  第３端
３ｂ  第４端
４  イヤキャップ
４１  第１端
４２  第２端
４３  小径段
４４  突起部
４ａ  外延
５  防塵カバー
【図１】
0003227305.tif 000003
【図２】
0003227305.tif 000004
【図３】
0003227305.tif 000005
【図４】
0003227305.tif 000006
【図５】
0003227305.tif 000007
【図６】
0003227305.tif 000008
【図７】
0003227305.tif 000009
【図８】
0003227305.tif 000010
【図９】
0003227305.tif 000011
【図１０】
0003227305.tif 000012
【図１１】
0003227305.tif 000013
【図１２】
0003227305.tif 000014
【図１３】
0003227305.tif 000015
【図１４】
0003227305.tif 000016
【図１５】
0003227305.tif 000017
【図１６】
0003227305.tif 000018